【手続補正書】
【提出日】令和1年8月5日(2019.8.5)
【手続補正１】
【補正対象書類名】明細書
【補正対象項目名】００１９
【補正方法】変更
【補正の内容】
【００１９】
音調警報検出器５は、音響装置に近接した音調警報（例えばサイレン）を検出してもよい。最大限のユーザ体験を提供するために、音調警報検出器５は、特定の警報（例えば微弱な又は低音量の警報）を無視することが望ましい。以下により詳細に説明するように、音調警報検出は、複数のマイク５１を用いた空間音響処理を必要とし得る。幾つかの実施形態では、そのような音調警報検出は、特許文献６及び特許文献５に記載のものと同一又は類似の方式で行ってもよい。
【手続補正２】
【補正対象書類名】特許請求の範囲
【補正対象項目名】全文
【補正方法】変更
【補正の内容】
【特許請求の範囲】
【請求項１】
音響装置における音響情報を処理するための方法であって、
通信用音響出力信号を生成することによって、前記音響装置の少なくとも１つの変換器に音響情報を複製する工程と、
前記音響装置外部の周辺音響を示す少なくとも１つの入力信号を受信する工程と、
前記少なくとも１つの入力信号から、前記周辺音響における近傍界音響を検出する工程と、
前記近傍界音響の検出に応じて、前記少なくとも１つの変換器に複製された前記音響情報の特徴を修正する工程と
を含む方法。
【請求項２】
前記少なくとも１つの入力信号から、前記周辺音響の方向を決定する工程と、
前記周辺音響の方向が、前記周辺音響が前記音響装置のユーザからの音響であることを示すことに応じて、前記少なくとも１つの変換器に複製された前記音響情報の特徴を修正する工程と
を更に含む、請求項１に記載の方法。
【請求項３】
前記少なくとも１つの入力信号から、前記周辺音響の方向を決定する工程と、
前記周辺音響の方向が、前記周辺音響が前記音響装置のユーザからの発話であることを示すことに応じて、前記少なくとも１つの変換器に複製された前記音響情報の特徴を修正する工程と
を更に含む、請求項１に記載の方法。
【請求項４】
前記音響情報の特徴を修正する工程が、前記音響情報を減衰させる工程を含む、請求項１に記載に記載の方法。
【請求項５】
前記近傍界音響の検出が少なくとも所定時間継続することに応じて、前記音響情報の特徴を修正する工程を更に含む、請求項１に記載の方法。
【請求項６】
前記少なくとも１つの入力信号から、前記周辺音響において前記近傍界音響が存在しないことを検出する工程と、
少なくとも第２の所定時間の間前記近傍界音響が存在しないことに応じて、前記少なくとも１つの変換器に複製された前記音響情報の特徴を修正することを停止する工程と、
を更に含む、請求項５に記載の方法。
【請求項７】
前記近傍界音響を検出する工程に加えて、前記少なくとも１つの入力信号から、前記周辺音響における前記近傍界音響以外の周辺音響を検出する工程と、
前記周辺音響の検出に応じて、前記少なくとも１つの変換器に複製された前記音響情報の特徴を修正する工程と
を更に含む、請求項１に記載の方法。
【請求項８】
前記少なくとも１つの入力信号から、前記周辺音響の方向を決定する工程と、
前記周辺音響の方向が、前記周辺音響が前記近傍界音響以外の音響であることを示すことに応じて、前記少なくとも１つの変換器に複製された前記音響情報の特徴を修正する工程と
を更に含む、請求項７に記載の方法。
【請求項９】
前記少なくとも１つの入力信号から、前記周辺音響が背景雑音を含むか否かを検出する工程と、
前記周辺音響における前記背景雑音の検出に応じて、前記少なくとも１つの変換器に複製された前記音響情報の特徴を修正する工程と
を更に含む、請求項７に記載の方法。
【請求項１０】
前記少なくとも１つの入力信号から、前記周辺音響が音調警報を含むか否かを検出する工程と、
前記周辺音響における前記音調警報の検出に応じて、前記少なくとも１つの変換器に複製された前記音響情報の特徴を修正する工程と
を更に含む、請求項７に記載の方法。
【請求項１１】
前記周辺音響における前記音調警報を検出する工程が、
前記少なくとも１つの入力信号から、前記周辺音響の方向を検出する工程と、
前記少なくとも１つの入力信号から、前記周辺音響のスペクトル平坦性測定を検出する工程と、
前記少なくとも１つの入力信号から、前記周辺音響の近傍界空間統計量を検出する工程と、
前記周辺音響の方向、前記背景雑音の有無、及び前記近傍界空間統計量に基づいて、前記音調警報を検出する工程と
を含む、請求項１０に記載の方法。
【請求項１２】
前記少なくとも１つの入力信号が、第１のマイクでの周辺音響を示す第１のマイク信号と、第２のマイクでの周辺音響を示す第２のマイク信号とを含み、
前記近傍界空間統計量が、前記第１のマイク信号と前記第２のマイク信号との間の相関を含む、
請求項１１に記載の方法。
【請求項１３】
前記周辺音響の方向を検出する工程が、前記周辺音響の方向が近傍界音響の受入角以内であるか否かを決定する工程を含む、請求項１１に記載の方法。
【請求項１４】
前記周辺音響の前記近傍界空間統計量を検出する工程が、正規化相互相関統計量が閾値よりも大きいか否かを検出する工程を含む、請求項１１に記載の方法。
【請求項１５】
前記周辺音響の前記スペクトル平坦性測定を検出する工程が、前記雑音スペクトルが前記周辺音響の全てのサブバンドではないが、前記周辺音響の殆どのサブバンドにおいて平坦であるか否かを検出する工程を含む、請求項１１に記載の方法。
【請求項１６】
前記周辺音響における前記近傍界音響を検出する工程が、
前記少なくとも１つの入力信号から、前記周辺音響の方向を検出する工程と、
前記少なくとも１つの入力信号から、前記周辺音響における発話の存在を検出する工程と、
前記少なくとも１つの入力信号から、前記周辺音響の近傍界空間統計量を検出する工程と、
前記方向、発話の有無、及び前記周辺音響の前記近空間統計量に基づいて、前記近傍界音響を検出する工程と
を含む、請求項１に記載の方法。
【請求項１７】
前記少なくとも１つの入力信号が、第１のマイクでの周辺音響を示す第１のマイク信号と、第２のマイクでの周辺音響を示す第２のマイク信号とを含み、
前記近傍界空間統計量が、前記第１のマイク信号と前記第２のマイク信号との間の相関を含む、
請求項１６に記載の方法。
【請求項１８】
前記少なくとも１つの入力信号が、第１のマイクでの周辺音響を示す第１のマイク信号と、第２のマイクでの周辺音響を示す第２のマイク信号とを含み、
前記近傍界空間統計量が、前記近傍界音響と紐づく干渉−信号比を含む、
請求項１６に記載の方法。
【請求項１９】
前記少なくとも１つの入力信号が、第１のマイクでの周辺音響を示す第１のマイク信号と、第２のマイクでの周辺音響を示す第２のマイク信号とを含み、
前記近傍界空間統計量が、前記第１のマイク信号と前記第２のマイク信号との間のマイク間レベル差を含む、
請求項１６に記載の方法。
【請求項２０】
前記周辺音響の方向を検出する工程が、前記周辺音響の方向が近傍界音響の受入角以内であるか否かを決定する工程を含む、請求項１６に記載の方法。
【請求項２１】
前記周辺音響の前記近傍界空間統計量を検出する工程が、
正規化相互相関統計量が第１閾値よりも大きいか否かを検出する工程と、
干渉−近傍界所望信号比が第２閾値よりも小さいか否かを検出する工程と、
マイク間レベル差が、第３閾値よりも大きいか否かを検出する工程と
を含む、請求項１６に記載の方法。
【請求項２２】
前記第２閾値が、前記周辺音響における背景雑音の推定に基づいて調整される、請求項２１に記載の方法。
【請求項２３】
前記第３閾値が、前記周辺音響における背景雑音の推定に基づいて調整される、請求項２１に記載の方法。
【請求項２４】
前記少なくとも１つの入力信号から、前記周辺音響の方向を検出する工程と、
前記少なくとも１つの入力信号から、前記周辺音響における背景雑音の存在を検出する工程と、
前記少なくとも１つの入力信号から、前記周辺音響における近接発話の存在を検出する工程と、
前記少なくとも１つの入力信号から、前記周辺音響の音量を検出する工程と、
前記少なくとも１つの入力信号から、前記周辺音響の近傍界空間統計量を検出する工程と、
前記方向、背景雑音の有無、前記発話の有無、前記音量、及び前記周辺音響の前記近空間統計量に基づいて、近接音響イベントを含む音響イベントの存在を検出する工程と、
前記音響イベントの存在の検出に応じて、前記少なくとも１つの変換器に複製された前記音響情報の特徴を修正する工程と
を更に含む、請求項１に記載の方法。
【請求項２５】
前記周辺音響のスペクトル成分の変化を検出する工程と、
前記方向、背景雑音の有無、前記発話の有無、前記音量、前記周辺音響の前記近空間統計量、及び前記周辺音響の前記スペクトル成分に基づいて、近接音響イベントを含む音響イベントの存在を検出する工程と
を更に含む、請求項２４に記載の方法。
【請求項２６】
前記少なくとも１つの入力信号が、第１のマイクでの周辺音響を示す第１のマイク信号と、第２のマイクでの周辺音響を示す第２のマイク信号とを含み、
前記近傍界空間統計量が、前記第１のマイク信号と前記第２のマイク信号との間の相関を含む、
請求項２５に記載の方法。
【請求項２７】
前記少なくとも１つの入力信号が、第１のマイクでの周辺音響を示す第１のマイク信号と、第２のマイクでの周辺音響を示す第２のマイク信号とを含み、
前記近傍界空間統計量が、前記近傍界音響と紐づく干渉−信号比を含む、
請求項２５に記載の方法。
【請求項２８】
前記少なくとも１つの入力信号が、第１のマイクでの周辺音響を示す第１のマイク信号と、第２のマイクでの周辺音響を示す第２のマイク信号とを含み、
前記近傍界空間統計量が、前記第１のマイク信号と前記第２のマイク信号との間のマイク間レベル差を含む、
請求項２５に記載の方法。
【請求項２９】
前記周辺音響における近接発話の存在を検出する工程が、定常的背景雑音を検出する工程を含む、請求項２５に記載の方法。
【請求項３０】
前記周辺音響における近接発話の存在を検出する工程が、近くで話している近接話者からの発話を検出する工程を含む、請求項２５に記載の方法。
【請求項３１】
前記周辺音響における近接発話の存在を検出する工程が、前記少なくとも１つの入力信号から、前記周辺音響のスペクトル平坦性測定を検出する工程を含み、前記周辺音響の前記スペクトル平坦性測定を検出する工程が、前記周辺音響のスペクトル成分の変化を検出する工程を含む、請求項２５に記載の方法。
【請求項３２】
音響装置の少なくとも一部を実現するための集積回路であって、
通信用音響出力信号を生成することによって、前記音響装置の少なくとも１つの変換器に音響情報を複製するように構成された音響出力と、
前記音響装置外部の周辺音響を示す入力信号を受信するように構成されたマイク入力と、
前記入力信号から、前記周辺音響における近傍界音響を検出し、
前記近傍界音響の検出に応じて、前記音響情報の特徴を修正する
ように構成されたプロセッサと
を含む、集積回路。
【請求項３３】
前記プロセッサが更に、
前記少なくとも１つの入力信号から、前記周辺音響の方向を決定し、
前記周辺音響の方向が、前記周辺音響が前記音響装置のユーザからの音響であることを示すことに応じて、前記少なくとも１つの変換器に複製された前記音響情報の特徴を修正する
ように構成されている、請求項３２に記載の集積回路。
【請求項３４】
前記プロセッサが更に、
前記少なくとも１つの入力信号から、前記周辺音響の方向を決定し、
前記周辺音響の方向が、前記周辺音響が前記音響装置のユーザからの発話であることを示すことに応じて、前記少なくとも１つの変換器に複製された前記音響情報の特徴を修正する
ように構成されている、請求項３２に記載の集積回路。
【請求項３５】
前記音響情報の特徴を修正することが、前記音響情報を減衰させることを含む、請求項３２に記載の集積回路。
【請求項３６】
前記プロセッサが更に、前記近傍界音響の検出が少なくとも所定時間継続することに応じて、前記音響情報の特徴を修正するように構成されている、請求項３２に記載の集積回路。
【請求項３７】
前記プロセッサが更に、前記少なくとも１つの入力信号から、前記周辺音響において前記近傍界音響が存在しないことを検出し、
少なくとも第２の所定時間の間前記近傍界音響が存在しないことに応じて、前記少なくとも１つの変換器に複製された前記音響情報の特徴を修正することを停止する
ように構成されている、請求項３６に記載の集積回路。
【請求項３８】
前記プロセッサが更に、
前記近傍界音響を検出することに加えて、前記少なくとも１つの入力信号から、前記周辺音響における前記近傍界音響以外の周辺音響を検出し、
前記周辺音響の検出に応じて、前記少なくとも１つの変換器に複製された前記音響情報の特徴を修正する
ように構成されている、請求項３６に記載の集積回路。
【請求項３９】
前記プロセッサが更に、
前記少なくとも１つの入力信号から、前記周辺音響の方向を決定し、
前記周辺音響の方向が、前記周辺音響が前記近傍界音響以外の音響であることを示すことに応じて、前記少なくとも１つの変換器に複製された前記音響情報の特徴を修正する
ように構成されている、請求項３８に記載の集積回路。
【請求項４０】
前記プロセッサが更に、
前記少なくとも１つの入力信号から、前記周辺音響が背景雑音を含むか否かを検出し、
前記周辺音響における前記背景雑音の検出に応じて、前記少なくとも１つの変換器に複製された前記音響情報の特徴を修正する
ように構成されている、請求項３８に記載の集積回路。
【請求項４１】
前記プロセッサが更に、
前記少なくとも１つの入力信号から、前記周辺音響が音調警報を含むか否かを検出し、
前記周辺音響における前記音調警報の検出に応じて、前記少なくとも１つの変換器に複製された前記音響情報の特徴を修正する
ように構成されている、請求項３８に記載の集積回路。
【請求項４２】
前記周辺音響における前記音調警報を検出することが、
前記少なくとも１つの入力信号から、前記周辺音響の方向を検出することと、
前記少なくとも１つの入力信号から、前記周辺音響のスペクトル平坦性測定を検出することと、
前記少なくとも１つの入力信号から、前記周辺音響の近傍界空間統計量を検出することと、
前記周辺音響の方向、前記背景雑音の有無、及び前記近傍界空間統計量に基づいて、前記音調警報を検出することと
を含む、請求項４１に記載の集積回路。
【請求項４３】
前記少なくとも１つの入力信号が、第１のマイクでの周辺音響を示す第１のマイク信号と、第２のマイクでの周辺音響を示す第２のマイク信号とを含み、
前記近傍界空間統計量が、前記第１のマイク信号と前記第２のマイク信号との間の相関を含む、
請求項４１に記載の集積回路。
【請求項４４】
前記周辺音響の方向を検出することが、前記周辺音響の方向が近傍界音響の受入角以内であるか否かを決定することを含む、請求項４２に記載の集積回路。
【請求項４５】
前記周辺音響の前記近傍界空間統計量を検出することが、正規化相互相関統計量が閾値よりも大きいか否かを検出することを含む、請求項４２に記載の集積回路。
【請求項４６】
前記周辺音響の前記スペクトル平坦性測定を検出することが、前記雑音スペクトルが前記周辺音響の全てのサブバンドではないが、前記周辺音響の殆どのサブバンドにおいて平坦であるか否かを検出することを含む、請求項４２に記載の集積回路。
【請求項４７】
前記周辺音響における前記近傍界音響を検出することが、
前記少なくとも１つの入力信号から、前記周辺音響の方向を検出することと、
前記少なくとも１つの入力信号から、前記周辺音響における発話の存在を検出することと、
前記少なくとも１つの入力信号から、前記周辺音響の近傍界空間統計量を検出することと、
前記方向、発話の有無、及び前記周辺音響の前記近空間統計量に基づいて、前記近傍界音響を検出することと
を含む、請求項３２に記載の集積回路。
【請求項４８】
前記少なくとも１つの入力信号が、第１のマイクでの周辺音響を示す第１のマイク信号と、第２のマイクでの周辺音響を示す第２のマイク信号とを含み、
前記近傍界空間統計量が、前記第１のマイク信号と前記第２のマイク信号との間の相関を含む、
請求項４７に記載の集積回路。
【請求項４９】
前記少なくとも１つの入力信号が、第１のマイクでの周辺音響を示す第１のマイク信号と、第２のマイクでの周辺音響を示す第２のマイク信号とを含み、
前記近傍界空間統計量が、近傍界音響と紐づく干渉−信号比を含む、
請求項４７に記載の集積回路。
【請求項５０】
前記少なくとも１つの入力信号が、第１のマイクでの周辺音響を示す第１のマイク信号と、第２のマイクでの周辺音響を示す第２のマイク信号とを含み、
前記近傍界空間統計量が、前記第１のマイク信号と前記第２のマイク信号との間のマイク間レベル差を含む、
請求項４７に記載の集積回路。
【請求項５１】
前記周辺音響の方向を検出することが、前記周辺音響の方向が近傍界音響の受入角以内であるか否かを決定することを含む、請求項４７に記載の集積回路。
【請求項５２】
前記周辺音響の前記近傍界空間統計量を検出することが、
正規化相互相関統計量が第１閾値よりも大きいか否かを検出することと、
干渉−近傍界所望信号比が第２閾値よりも小さいか否かを検出することと、
マイク間レベル差が、第３閾値よりも大きいか否かを検出することと
を含む、請求項４７に記載の集積回路。
【請求項５３】
前記第２閾値が、前記周辺音響における背景雑音の推定に基づいて調整される、請求項５２に記載の集積回路。
【請求項５４】
前記第３閾値が、前記周辺音響における背景雑音の推定に基づいて調整される、請求項５２に記載の集積回路。
【請求項５５】
前記プロセッサが更に、
前記少なくとも１つの入力信号から、前記周辺音響の方向を検出する工程と、
前記少なくとも１つの入力信号から、前記周辺音響における背景雑音の存在を検出し、
前記少なくとも１つの入力信号から、前記周辺音響における近接発話の存在を検出し、
前記少なくとも１つの入力信号から、前記周辺音響の音量を検出し、
前記少なくとも１つの入力信号から、前記周辺音響の近傍界空間統計量を検出し、
前記方向、背景雑音の有無、前記発話の有無、前記音量、及び前記周辺音響の前記近空間統計量に基づいて、近接音響イベントを含む音響イベントの存在を検出し、
前記音響イベントの存在の検出に応じて、前記少なくとも１つの変換器に複製された前記音響情報の特徴を修正する
ように構成されている、請求項３２に記載の集積回路。
【請求項５６】
前記プロセッサが更に、
前記周辺音響のスペクトル成分の変化を検出し、
前記方向、背景雑音の有無、前記発話の有無、前記音量、前記周辺音響の前記近空間統計量、及び前記周辺音響の前記スペクトル成分に基づいて、近接音響イベントを含む音響イベントの存在を検出する
ように構成されている、請求項３２に記載の集積回路。
【請求項５７】
前記少なくとも１つの入力信号が、第１のマイクでの周辺音響を示す第１のマイク信号と、第２のマイクでの周辺音響を示す第２のマイク信号とを含み、
前記近傍界空間統計量が、前記第１のマイク信号と前記第２のマイク信号との間の相関を含む、
請求項５６に記載の集積回路。
【請求項５８】
前記少なくとも１つの入力信号が、第１のマイクでの周辺音響を示す第１のマイク信号と、第２のマイクでの周辺音響を示す第２のマイク信号とを含み、
前記近傍界空間統計量が、近傍界音響と紐づく干渉−信号比を含む、
請求項５６に記載の集積回路。
【請求項５９】
前記少なくとも１つの入力信号が、第１のマイクでの周辺音響を示す第１のマイク信号と、第２のマイクでの周辺音響を示す第２のマイク信号とを含み、
前記近傍界空間統計量が、前記第１のマイク信号と前記第２のマイク信号との間のマイク間レベル差を含む、
請求項５６に記載の集積回路。
【請求項６０】
前記周辺音響における近接発話の存在を検出することが、定常的背景雑音を検出することを含む、請求項５６に記載の集積回路。
【請求項６１】
前記周辺音響における近接発話の存在を検出することが、近くで話している近接話者からの発話を検出することを含む、請求項５６に記載の集積回路。
【請求項６２】
前記周辺音響における近接発話の存在を検出することが、前記少なくとも１つの入力信号から、前記周辺音響のスペクトル平坦性測定を検出することを含み、前記周辺音響の前記スペクトル平坦性測定を検出することが、前記周辺音響のスペクトル成分の変化を検出することを含む、請求項５６に記載の集積回路。
【請求項６３】
音響装置における音響情報を処理するための方法であって、
通信用音響出力信号を生成することによって、前記音響装置の少なくとも１つの変換器に音響情報を複製する工程と、
前記音響装置外部の周辺音響を示す少なくとも１つの入力信号を受信する工程と、
前記少なくとも１つの入力信号から、音響イベントを検出する工程と、
前記音響イベントの検出が少なくとも所定時間継続することに応じて、前記少なくとも１つの変換器に複製された前記音響情報の特徴を修正する工程と
を含む方法。
【請求項６４】
少なくとも第２の所定時間の間前記音響イベントが存在しないことに応じて、前記少なくとも１つの変換器に複製された前記音響情報の特徴を修正することを停止する工程を更に含む、請求項６３に記載の方法。
【請求項６５】
前記音響イベントが、近傍界イベント、近接イベント、及び警報イベントのうちの少なくとも１つを含む、請求項６３に記載の方法。
【請求項６６】
音響装置の少なくとも一部を実現するための集積回路であって、
通信用音響出力信号を生成することによって、前記音響装置の少なくとも１つの変換器に音響情報を複製するように構成された音響出力と、
前記音響装置外部の周辺音響を示す入力信号を受信するように構成されたマイク入力と、
前記入力信号から、音響イベントを検出し、
前記音響イベントの検出が少なくとも所定時間継続することに応じて、前記少なくとも１つの変換器に複製された前記音響情報の特徴を修正する
ように構成されたプロセッサと
を含む、集積回路。
【請求項６７】
前記プロセッサが更に、少なくとも第２の所定時間の間前記音響イベントが存在しないことに応じて、前記少なくとも１つの変換器に複製された前記音響情報の特徴を修正することを停止するように構成されている、請求項６６に記載の集積回路。
【請求項６８】
前記音響イベントが、近傍界イベント、近接イベント、及び警報イベントのうちの少なくとも１つを含む、請求項６６に記載の集積回路。